(57)【特許請求の範囲】
【請求項１】
利用者が浴室の洗い場からバスタブに座位姿勢で出入りするためのバスボードを具備し、利用者が腰を降ろして入浴するための入浴部と、該入浴部の外側に連接される縁部と、該入浴部の後方に配設されバスボードを収納するための収納部と、該収納部からバスボードを摺動させて使用位置で固定するスライド部を備えたバスタブにおいて、前記バスボード使用時には前記収納部から前記スライド部へバスボードを引き出して固定し、該バスボード収納時には該スライド部から該収納部にバスボードを押し込んで固定することで、該バスボードの設置及び収納を可能にしたことを特徴とするバスタブ。
【請求項２】
前記バスボードを前記スライド部に固定した時、該バスボードの上面と縁部の上面が略同一面になることを特徴とした請求項１に記載のバスタブ。
【請求項３】
前記バスタブの前記収納部の上方に固定されるレール基部と、該レール基部に回動可能に軸着されるスライドレール部からなり、車輪を備えた車体フレームによって浴室を走行可能にし、該車体フレームの上方に支持されるキャリーレール部の上を、支持ローラーを備えた駆動部がスライド可能で、該駆動部に枢着され上下方向に昇降する座部と背受が一体となった昇降椅子ユニットからなる利用者を移動させるための座面昇降式キャリーの該キャリーレール部と前記スライドレール部を連結し、該駆動部を該キャリーレール部から該スライドレール部へスライドすることで、昇降椅子ユニットを浴室からバスタブの中に移動させ、さらに、昇降椅子ユニットを昇降させることで、利用者がバスタブに入浴できるようにしたレール部において、該レール部収納時には該スライドレール部の該スライドレールを該収納部側に回動しながら反乗込み側の前記縁部に向けてスライドさせることで該スライドレール部の端部が乗込み側の該縁部から突出しないようにし、該レール部使用時には、該スライドレール部を該レール基部側に回動しながら乗込み側の該縁部に向けてスライドさせることで該スライドレール部の端部を乗込み側の該縁部から突出させることで、前記座面昇降式キャリーの前記キャリーレール部と連結できるように構成したことを特徴とする請求項１あるいは２に記載のバスタブ。
【請求項４】
前記レール基部に開閉回動及び着脱可能に軸着される中空のカバーを具備し、前記スライドレール部をバスタブに収納した時に該カバーを閉じることで、該カバーが利用者入浴時の頭受になることを特徴とする請求項３に記載のバスタブ。
【発明の詳細な説明】
【技術分野】
【０００１】
本発明は、介助の必要の無い健常な利用者及び入浴介助を必要とする利用者のいずれも入浴することができるバスタブに関するものである。
【背景技術】
【０００２】
従来より、身体の不自由な人や介護が必要な高齢者などの入浴介助を行う際に、滑り易い浴室環境で洗い場からバスタブに出入りする時に、バスタブを跨ぐ動作を立位で行うと転倒の危険が高くなるため介助に細心の注意を払う必要があった。
【０００３】
そこで、従来より、バスタブの中へ座位で出入りを可能にするためにバスタブの上にバスボードを載架することが提案されている。
しかしながら、多くのバスボードはバスタブに載架して使用するため、入浴スペースが狭くなり快適に入浴できないことがあった。
【０００４】
そこで、この問題を解決するために以下のバスボード及びバスボードを具備したバスタブが提案されている。
【０００５】
まず、特許文献１のバスボードについて説明する。
このバスボードをバスタブの上縁（縁部）に差渡す際、支棒を摺動させてバスタブの両側の壁部内側に支棒が当接する位置に置く。そして、人がバスタブの外側からバスボードに腰を下ろし、体をバスタブの内側に回転させて足をバスタブに入れる。それからバスボードをバスタブから取り外すかあるいはそのままにして人がバスタブ内に入り使用することで、バスボードの端部に人の体重等の外力が及ぼされてもバスボードは支棒に支えられているから、バスボードはひっくり返らず、人が安全にバスタブ内に入ることが出来る。
次に、特許文献２の移乗用板（バスボード）付き入浴装置について説明する。
固定した支持具に支持させた移乗用板（バスボード）を、バスタブの洗い場側から反対側へ向かう左右方向に沿う開口縁部の上に起立する待機状態からバスタブの前後方向に沿う左右の開口縁部に跨がって伏倒する使用状態まで揺動可能且つ左右移動不能としたことで、移乗用板を使用しない時にはバスタブの側部に収納することができるようになっている。
【先行技術文献】
【特許文献】
【０００６】
【特許文献１】特許第３０４９２１９号
【特許文献２】特許第５４２４９０６号
【発明の概要】
【０００７】
しかしながら、特許文献１に記載のバスボードは、利用者がバスボードを使用してバスタブに入浴する際にバスボードをバスタブの縁部に立てかけるか（特許文献１の図１１参照）、バスタブ外の洗い場に置く必要があり、使い勝手が悪いものとなっている。
例えば、バスタブの保管に関してもバスタブの上縁（縁部）に立てかけた場合には、利用者の頭部などの身体にバスボードが倒れ掛かり怪我をする恐れがある。また、洗い場に置く場合には、洗い場が狭くなることや、入浴が終わりバスタブから洗い場に利用者が出る場合には再度バスボードをバスタブの上に載置する必要があり、取付けや取外しを繰り返すため不便である。
そして、特許文献２に記載の移乗用板付き入浴装置は、移乗用板（バスボード）が跳ね上げ収納可能で介助時の移乗用板収納の煩わしさを解消しているが、移乗用板の厚みがバスタブの上に重なるため移乗が困難となる利用者がでてくる可能性がある。
このような場合では、洗い場に踏み台を設置するなどバスタブを跨ぐための対策をする必要があり入浴介助の懸念事項である浴室での転倒事故の危険が増すことになる。
【発明が解決しようとする課題】
【０００８】
そこで、本願発明が解決しようとする課題は、利用者の身体状況に合わせて態様を替えて使用することが可能で利用者及び介助者ともに負担の少ないバスタブを提供することである。
【課題を解決するための手段】
【０００９】
本発明のバスタブは、利用者が浴室の洗い場からバスタブに座位姿勢で出入りするためのバスボードを具備し、利用者が腰を降ろして入浴するための入浴部と、該入浴部の外側に連接される縁部と、該入浴部の後方に配設されバスボードを収納するための収納部と、該収納部からバスボードを摺動させて使用位置で固定するスライド部を備えたバスタブにおいて、前記バスボード使用時には前記収納部から前記スライド部へバスボードを引き出して固定し、該バスボード収納時には該スライド部から該収納部にバスボードを押し込んで固定することで、該バスボードの設置及び収納を可能にしたことを特徴としている。
そして、前記バスボードを前記スライド部に固定した時、該バスボードの上面と縁部の上面が略同一面になることを特徴としている。
また、前記バスタブの前記収納部の上方に固定されるレール基部と、該レール基部に回動可能に軸着されるスライドレール部からなり、車輪を備えた車体フレームによって浴室を走行可能にし、該車体フレームの上方に支持されるキャリーレール部の上を、支持ローラーを備えた駆動部がスライド可能で、該駆動部に枢着され上下方向に昇降する座部と背受が一体となった昇降椅子ユニットからなる利用者を移動させるための座面昇降式キャリーの該キャリーレール部と前記スライドレール部を連結し、該駆動部を該キャリーレール部から該スライドレール部へスライドすることで、昇降椅子ユニットを浴室からバスタブの中に移動させ、さらに、昇降椅子ユニットを昇降させることで、利用者がバスタブに入浴できるようにしたレール部において、該レール部収納時には該スライドレール部の該スライドレールを該収納部側に回動しながら反乗込み側の前記縁部に向けてスライドさせることで該スライドレール部の端部が乗込み側の該縁部から突出しないようにし、該レール部使用時には、該スライドレール部を該レール基部側に回動しながら乗込み側の該縁部に向けてスライドさせることで該スライドレール部の端部を乗込み側の該縁部から突出させることで、前記座面昇降式キャリーの前記キャリーレール部と連結できるように構成したことを特徴としている。
さらに、前記レール基部に開閉回動及び着脱可能に軸着される中空のカバーを具備し、前記スライドレール部をバスタブに収納した時に該カバーを閉じることで、該カバーが利用者入浴時の頭受になることを特徴としている。
【発明の効果】
【００１０】
本発明のバスタブは、前述のように構成することで、バスボードを使用しない時には縁部に立てかけたり、洗い場に取り外して置いたりする必要がないため、浴室を広く使用することができる。また、取付けや取り外しを繰り返す面倒な作業をする必要がないものとなっている。
また、バスボードを利用者の後方にスライド収納できるため、バスタブ内でバスボードに座った利用者が腰を浮かして、バスボードを後方に収納するだけで、そのまま腰を降ろして入浴することができるため、バスタブ内で利用者が移動するなど転倒の危険が高い動作を少なく入浴介助できるものとなっている。
そして、従来の載架式のバスボードでは一度腰を浮かして縁部に腰をかけた利用者が、バスボードに移動するために再び腰を浮かして移動する必要があったが、本発明のバスボードを使用する時にはバスボード上面と縁部上面が略同一面となることで、利用者が縁部に腰をかければそのままバスボードへ「いざる」ことができるため、利用者の身体的負担だけでなく介助者が移乗介助をする負担も軽減することができる。
そして、レール部を使用する時にはレール部を構成する部材の端部を縁部から突出させ、使用しない時には縁部の内側へ収納するようにしたことで、必要な時以外はレール部の部材がバスタブから出ないようにしたことにより、バスタブやカバーを右仕様及び左仕様に対応できるように構成する必要が無いため、材料費や型費などコスト低減をすることができる。また、使用する時以外はレール部の端部が突出しないため、誤って利用者や介助者がレール部の端部にぶつかって怪我をするなどの危険が無く、安全に使用することができるものとなっている。
さらに、レール部を収納して健常な利用者が入浴を行う時に、カバーでレール部を構成する部材を隠すことで、利用者の頭部を保護することができる。また、頭部の保護だけでなく、利用者の頭受として使用することで、より快適な入浴を行うことができるものとなっている。
【図面の簡単な説明】
【００１１】
【図１】図１はバスタブ１の全体を示す(ａ)平面図（ｂ）正面図
【図２】図２はバスタブ１のバスボード２の使用時の全体を示す（ａ）平面図（ｂ）正面図
【図３】図３はバスタブ１とレール固定１２とレール基部３１の分解斜視図
【図４】図４はバスボード２の説明図
【図５】図５はバスボード２の分解斜視図
【図６】図６はレール部３とカバー４の分解斜視図
【図７】図７はバスタブ１にレール部３を収納した状態を示す平面図
【図８】図８はバスタブ１にレール部３を収納した状態を示す正面図
【図９】図９はバスタブ１にレール部３を使用可能にした状態を示す平面図
【図１０】図１０はバスタブ１にレール部３を使用可能にした状態を示す正面図
【図１１】図１１は座面昇降式キャリー５を示す斜視図
【図１２】図１２はバスタブ１に座面昇降式キャリー５を連結して昇降椅子ユニット５５を移動させる状態を示す平面図
【図１３】図１３はバスタブ１に昇降椅子ユニット５５を入浴させた状態を示す正面図
【発明を実施するための形態】
【実施例１】
【００１２】
以下、本発明のバスタブについて図面を基に説明する。
このバスタブ１は、スライド収納可能に設置されたバスボード２と、座面昇降式キャリー５の座部５１をキャリー部５２から分離してバスタブ１へスライド移動させるレール部３と、レール部３のカバー４を備えている。
【００１３】
バスタブ１について説明する。
このバスタブ１は、例えば繊維強化プラスチック（ＦＲＰ）から形成されており、湯を溜めて利用者が入浴するための入浴部１１と、該入浴部１１を囲う縁部１２及び利用者の後方にバスボード２及びレール部３の収納部１３と、該収納部１３からボスボード２を引き出すスライド部１４を備えている。
まず、入浴部１１を説明する。
この入浴部１１は、図１及び２に示すように、利用者の足元前方に設けた排水口１１ａに向かって、利用者が着座する床面１１ｂ及び前後左右の壁面がテーパ状で構成されている。これは、入浴部１１に溜まった水を排水しやすくするためである。
また、利用者の背側壁面１１ｃは平面視において、略扇状に構成されており、利用者がもたれ易いようにしてあり可能な限り入浴部１１を広く使えるようにしている。
なお、図示は省略するが床面１１ｂの利用者の足側に複数の丸型の凸凹をつけることで、入浴姿勢での身体のズレや滑りを抑えるように構成してもよい。
【００１４】
次に、縁部１２を説明する。
この縁部１２は、入浴部１１に連接されており、長手方向の上面には、取付孔１２ａ，１２ａ，・・・が穿設されている。
そして、バスタブ１の補強も兼ねて、後述するレール部３を取付けるための平面視において略Ｈ字状に構成されたレール固定１２１をバスタブ１の下側から取付けている。
そして、該レール固定１２１をライニング部材（図示省略）を使用して固定している。
このレール固定１２１は、図３に示すように、ツナギフレーム１２１ａの両端上面にトリツケボス１２１ｃ，１２１ｃ，・・・を挿通した固定脚１２１ｂ，１２１ｂを載架して、それぞれ固着して構成している。
【００１５】
次に、収納部１３を説明する。
この収納部１３は、バスボード２を入浴介助及び補助に使用しない場合に、バスボード２をバスタブ１内に収納することができるものである。
図３に示すように、収納部１３は入浴部１１の利用者の背側壁面１１ｃと連接するバスタブ１後方から前方に向けてテーパ状に構成される傾斜面１３ａと、該傾斜面１３ａに付設される凸部１３ｂ，１３ｂで構成される。
この凸部１３ｂ，１３ｂは、後述するバスボード２の凹部２ｆ，２ｆと嵌合することでバスボード２を収納部１３から出さないようにするためのものである。
なお、凸部１３ｂ，１３ｂは、バスタブ１の中心部に向かって隆起が小さくなるように構成している。これは、収納部１３に水が残留することを防止して、錆や垢が発生するのを抑える効果が期待できる。
【００１６】
次に、スライド部１４を説明する。
このスライド部１４は、バスボード２を収納部１３から引き出して使用位置で固定するためのものである。
図３などで示すように、スライド部１４を構成する摺動面１４ａ，１４ａは、前記収納部１３の前記傾斜面１３ａと連接しており、該傾斜面１３ａから入浴部１１の前方に向けて正面視において左上がりの緩やかな湾曲状を描くように形成している。
そして、該摺動面１４ａ，１４ａの端部には、後述するバスボード２の凸部２ｂ，２ｂと嵌合する固定溝１４ｂ，１４ｂを形成している。
【００１７】
このように構成したバスタブ１は、上述したように、各構成部が排水口１１ａに向けてテーパ状になっているので水捌けしやすい構成となっている。
また、それぞれの面すべてが連接しており収納部１３の傾斜面１３ａから背側壁面と排水口１１ａに向けて徐々に傾斜がついているので、水捌けが良いだけでなく、バスタブ１後方側からシャワーなどで水をかけると容易に毛髪などのゴミが排水口１１ａ付近に集まりやすくなっており、バスタブ１の手入れを簡単にすることができる。
【００１８】
次に、バスボード２について説明する。
このバスボード２は、例えば、熱可塑性樹脂（ポリプロピレン）を使用して形成している。
そして、図４に示すように平面視において矩形状の長手方向の一辺を前記バスタブ１の背側壁面１１ｃの略扇形状と略同形状に形成している。
そして、利用者が着座する上面２ａは略水平面であり、利用者が臀部をバスボード２に乗せたまま「いざる」動作をし易くしている。
そして、バスボード２の前方には、バスボード２を収納部１３から引き出す際に把持する、凹状の把持部２ｂ，２ｂを形成している。
なお、該把持部２ｂ，２ｂを２ヵ所備えているのは、バスタブ１の左右どちら側からでもバスボード２を引き出し操作できるようにするためであり、１つであっても良い。
そして、バスボード２の側部には、前述したバスタブ１のスライド部１４の摺動面１４ａ，１４ａと重ね合わさる湾曲状の面２ｃ，２ｃと、固定溝１４ｂ，１４ｂと嵌合する凸部２ｄ，２ｄを形成している。
そして、バスボード２の下面の長手方向にリブ部２ｅ，２ｅを形成しており、該リブ部２ｅ，２ｅに一定間隔をおいて雌螺子２ｆ，２ｆ，・・・をインサートしている。
そして、該リブ部２ｅ，２ｅに嵌合する略コ字状の補強板２１，２１を雄螺子部材２１ａ，２１ａ，・・・で該雌螺子２ｆ，２ｆ，・・・に螺着して固定している。
このようにリブ部２ｅ，２ｅ及び補強板２１，２１をバスボード２に付設することで、より強度が強く耐久性に優れた構成にしている。
また、該補強板２１，２１の両端には樹脂製のスラシ２２，２２，・・・を取着しており、より収納部１３とスライド部１４間の操作をし易くするのと併せて、利用者が載るなどバスボード２に負荷が掛かかった際に、バスタブ１とバスボード２が直接触れて傷が付くことを防止している。
そして、下面の後端部両側部付近に、前記バスタブ１の収納部１３の凸部１３ｂ，１３ｂと嵌合する凹部２ｆ，２ｆを形成している。
最後に、後端部中央付近には凹状の把持部２ｇを形成しており、前述の把持部２ｂ，２ｂと併せて、バスボード２の前後どちら側でも把持し易くしている。
これは、バスボード２をスライド部１４からさらにスライドさせてバスタブ１から取り外すことが出来るが、その際に持ち運びや清掃をし易くするためである。
【００１９】
なお、本実施例ではバスボード２の厚みと、該摺動面１４ａから前記縁部１２の上面までの距離を略同等にしている。
このように構成すると、バスボード２を利用してバスタブ１へ利用者が出入りする際に、バスボード２のどちらか一方の端部に利用者の手が触れるなどして偏荷重がかかった時に、縁部１２の固定溝１４ｂ，１４ｂからバスボード２の凸部２ｂ，２ｂの固定が外れてバスタブ１の縁部１２に滑ってしまい、バスボード２がバスタブ１から外れることを防ぐことができ、利用者の転落事故等を防止することができる。
また、図示は省略するが、利用者が移動し易いようにバスボード２の上面にテスリを具備できるように構成しても良い。
例えば、バスボード２の上面の端部をテスリの形に欠損させて溝部を形成し、その溝部にテスリを回動可能に軸着してバスボードを使用する際には、テスリを回動させて起立状態にすることで使用可能にしたのでも良い。
さらに、従来の載架式のバスボードでは利用者が入浴する時に、バスボードを外すもしくは収納するために利用者がバスタブ内で腰を浮かせて立ち上がり移動する必要があったが、本発明のバスボード２は利用者の後方にスライド収納可能であるため、利用者がバスボード２の上に入浴可能な状態で座った時に、僅かに腰を浮かすだけでバスボード２を収納することができるため、利用者の身体的な負担を軽減することができる。
また、バスボード２を収納し、そのまま腰を降ろすことで入浴することが可能であるため、入浴動作を少なくして入浴することができるものとなっており、利用者及び介助者どちらとも負担を少なくすることができるものとなっている。
【００２０】
次に、レール部３について説明する。
このレール部３は、バスタブ１に取付けるレール基部３１と、レール基部３１に回動可能に取付けるスライドレール部３２により構成されている。
まず、レール基部３１について説明する。
このレール基部３１は、図３などで示すように、一定間隔をおいて配設されたトリツケプレート３１ａ，３１ａの上に左右対称形状のステープレート３１ｂ，３１ｂを配設し、該ステープレート３１ｂ，３１ｂに基部フレーム３１ｃを載架して、それぞれ固着している。
そして、該基部フレーム３１ｃの側部には一定間隔をおいて配設された支点プレート３１ｄ，３１ｄ，・・・を固着している。
なお、前記ステープレート３１ｂ，３１ｂには、レール部３を使用可能にした際に、後述するスライドレール部３２を保持するための保持ボルト３１ｅ，３１ｅが飛び出し量を調整可能に螺着されている。
なお、該保持ボルト３１ｅ，３１ｅの一端には樹脂製のカバー部材３１ｆ，３１ｆを嵌着しており、スライドレール部３２に傷がつかないようにしている。
なお、本実施例では樹脂製のカバー部材３１ｆ，３１ｆを使用したが、ゴム製であってもよく、スライドレール部３２を保持可能且つ傷を防止できるものであれば良い。
そして、前記トリツケプレート３１ａ，３１ａの端部付近に平面視において略コ字状に形成した支持プレート３１ｇ，３１ｇを止着している。
さらに、該支持プレート３１ｇ，３１ｇの上に、正面視においてアルファベットのＣ字を９０度反時計回りに回転させた形状の樹脂製のカバー支持部材３１ｈ，３１ｈを取付けている。
このカバー支持部材３１ｈ，３１ｈには、後述するカバー４が軸着される。（カバー４の詳細は後述する。）
【００２１】
次に、スライドレール部３２について説明する。
このスライドレール部３２は、鋼板を略リップ溝形鋼材状に曲げ加工したスライドレール３２ａの側面部に一定間隔をおいて支持ボス３２ｂ，３２ｂを固着している。
そして、該スライドレール３２ａの端部に後述する座面昇降式キャリー５のキャリーレール部５２と連結する連結部３２ｃを軸着している。
そして、該スライドレール３２ａの端部よりややバスタブ１中央側にズレドメピン３２ｄを固着している。
このように構成したスライドレール部３２の該支持ボス３２ｂ，３２ｂを前記レール基部３１の支点プレート３１ｄ，３１ｄ，・・・に支持軸３２ｅで回動可能に軸着している。
【００２２】
次に、スライドレール部３２の収納状態と使用状態について説明する。
まず、スライドレール部３２の収納状態を説明する。
図７で示すように、平面視において、支持ボス３２ｂ，３２ｂが前記レール基部３１の支点プレート３１ｄ，３１ｄに利用者が入浴時の右手側に寄せて当接している。
そして、スライドレール３２ａの開口側をバスタブ１の収納部１３を臨む向きに回動している。
なお、スライドレール３２ａの辺３２１ａと支点プレート３１ｄ，３１ｄ，・・・の辺３１１ｄ，３１１ｄ，・・・が当接して、スライドレール部３２ａを保持している。
この収納状態では、スライドレール３２ａの一端に連接した連結部３２ｃがバスタブ１の内側に配置することができ、レール部３を使用しない時には、レール部３の端部が飛び出すことにより利用者などの怪我を防止することができる。
次に、スライドレール部３２の使用状態を説明する。
まず、前述した図７の収納状態から、図８で示すように、スライドレール部３２をバスタブ１の入浴部１１側に回動させる。
そして、支持ボス３２ｂ，３２ｂを前記レール基部３１の支点プレート３１ｄ，３１ｄに利用者が入浴時の左手側に寄せている。
そして、スライドレール３２ａの底面と前記保持ボルト３１ｅ，３１ｅを当接させる。
この時、前記ズレドメピン３２ｄは前記レール基部３１のステープレート３１ｂの切欠３１１ｂの中に配置され、該ズレドメピン３２ｄと前記トリツケプレート３１ａが当接している。
この、ズレドメピン３２ｄは、後述する座面昇降式キャリー５をレール部３と連結する際に、一定の力が加わってもスライドレール部３２をバスタブ１の内側（収納状態側）に移動できないようにするストッパーの役割がある。
【００２３】
また、図８に示すように、スライドレール部３２を回動させた時に、ズレドメピン３２ｄと保持ボルト３１ｅが干渉するように部品を配置している。
これは、単にスライドレール部３２を回動するだけではズレドメピン３２ｄと保持ボルト３１ｅが干渉することでスライドレール部３２が傾き、座面昇降式キャリー５との連結が不可能であることを、使用者に気付かせるためである。
そうすることで、レール部３と座面昇降式キャリー５が誤った連結になることによる、機械の故障や利用者や介助者の不意の怪我を防止することができる。
【００２４】
なお、図示は省略するが、本実施例ではレール部３の部品構成を左右対称にすることで、本実施例に示す仕様の対称構成にすることができ、浴室環境に影響されずバスタブ１を設置することが可能である。
例えば、バスタブ１を浴室の壁面に沿って設置することも、浴室の中央に浮島設置することも可能であり、利用者が最適な設置を行うことができるものとなっている。
特に、介護施設などでは浴室に浮島設置することで、利用者の両側から介助することができるため、より作業性を高めることができる。
また、後述するカバー４を加工する際、右仕様と左仕様に区別して加工する必要が無いため、部品のコストを抑えることが可能となっている。
【００２５】
次に、カバー４について説明する。
このカバー４は、前述したようにレール部３をバスタブ１に収納した際に、健常な利用者が通常入浴する際にレール部３を構成する部品が邪魔にならないようにするために使用されるものである。また、カバーとしてだけではなく利用者が入浴した際に頭受（マクラ）として使用可能な形状にしている。
以下詳述すると、カバー４は例えば繊維強化プラスチック（ＦＲＰ）から形成されており、図１などで示すように正面視においては心臓形の（植物の）葉を半分に切った形状で、平面視において矩形状の長手方向の一辺を前記バスボード２と同様に略扇形状と略同形状にし、下面部を欠損して中空状態に形成している。
そして、該カバー４の略扇状切欠部４ａの中央部を半楕円形に陥没させている。
これは、後述する入浴時に利用者のマクラとして使用する際には、後頭部付近を安定して保持できるようにするためである。
そして、該カバー４の両側端部に穿設した丸長孔４ｂ，４ｂに該カバー４の外側から支点ピン４１，４１を挿通し、該カバー４の内側から支点ピン４１，４１の端部に雄螺子を備えた軸部４１ａ，４１ａに円筒形状の支点カラー４２，４２を挿通し、ナット４３，４３を該軸部４１ａ，４１ａの雄螺子部に螺着して固定している。
このように構成したカバー４は、前記レール基部３１に取付けた前記カバー支持部材３１ｈ，３１ｈに、該支点カラー４１ｂ，４１ｂを嵌合させることで回動可能に軸着している。
なお、前述したように、前記カバー支持部材３１ｈ，３１ｈは樹脂製のＣ形をしているため、バスタブ１の上方に向かってカバー４を持ち上げるように一定の力を加えれば容易にカバー４をベース部３から取外すことができる。
これは、カバー４の清掃をし易くするためだけでなく、カバー４を外したことによって、バスタブ１の後方側からシャワーなどで水を流しやすくすることで、バスタブ１の清掃作業を容易にすることができる利点もある。
【００２６】
次に、前記レール部３と連結して使用する座面昇降式キャリー５について説明する。
この座面昇降式キャリー５は、車体フレーム部５１と、車体フレーム５１上部に備えられたキャリーレール部５２と、キャリーレール部５２を左右方向に移動可能な車輪を備えた駆動部５３と、駆動部５３に上下方向に昇降可能に枢着された座部５４で構成される昇降椅子ユニット５５で主に構成されている。
まず、車体フレーム部５１を説明する。
この車体フレーム部５１は、キャリーレール部５２を支持する支持体５１ａと、この車体フレーム部５１を下方で支持する４つの車輪５１ｂ，５１ｂ，・・・と、該車輪５１ｂ，５１ｂ，・・・を必要に応じて走行可能状態とロック状態にするブレーキ機構５１ｃを備えている。
【００２７】
次に、キャリーレール部５２を説明する。
このキャリーレール部５２は、前記支持体５１ａの上方に固着されるキャリーレール５２ａと、該キャリーレール５２ａの一端（連結側）にはスライドレール部３２と連結する連結部材５２ｂを、他端（非連結側）には配設される持ち手部材５２ｃをそれぞれ配設し、該持ち手部材５２ｃの下方に連設される連結解除レバー５２ｄを備えている。
まず、キャリーレール５２ａは、前述したスライドレール３２ａと同様に鋼板を略リップ溝形鋼材状に曲げ加工している。
そして、該キャリーレール５２ａの一端（連結側）には樹脂製の凹字状の連結部材５２ｂが取付けられており、後述するレール部３との連結をより強固にすることができるものとなっている。
そして、該キャリーレール５２ａの他端（非連結側）には略Ｕ字状の持ち手部材５２ｃを取付けており、レール部３と連結する際の押し引きをし易くしている。
そして、該持ち手部材５２ｃの下方には連結解除レバー５２ｄを取付けている。この連結解除レバー５２ｄは、図示は省略するが、前記連結部材５２ｂにリンク機構で連結されており、連結解除レバー５２ｄを操作することによって、レール部３と座面昇降式キャリー５の連結を解除することができるものとなっている。
なお、キャリーレール部５２とレール部３との連結方法については後述する。
【００２８】
次に、昇降椅子ユニット５５を説明する。
この昇降椅子ユニット５５は、駆動部５３と座部５４で構成されている。
まず、駆動部５３を説明する。
この駆動部５３は、駆動部カバー５３１ａに覆われた駆動機構５３ａと、該駆動機構５３ａの四隅を支持しキャリーレール５２ａとスライドレール３２ａ上を走行可能にする支持ローラー５３ｂ，５３ｂ，・・・を備えている。
まず、駆動機構５３ａは、図示は省略するが駆動部カバー５３１ａの内部に電動モーターと、電動モーターを動かすバッテリーと、後述する座部のラック５４ｅに噛合するピニオンギア５３ｄを備えている。
そして、該駆動機構５３ａの下端部四隅に支持ローラー５３ｂ，５３ｂ，・・・を軸着している。
次に、座部５４を説明する。
この座部５４は、背受５４ｂが一体となった利用者が着座する側面視において略Ｌ字状の座部５４ａと、該背受５４ｂの上方には着脱自在に取付けられたヘッドレスト５４ｃと、該背受５４ｂに上方回動可能に取付けられるアームレスト５４ｄ，５４ｄと、該背受５４ｂの背面には上下方向に前記ピニオンギア５３ｄと噛合するラック５４ｅが止着されている。
【００２９】
このように構成した昇降椅子ユニット５５は、駆動部５３の前記電動モーターを正逆回転させることで、座部５４のラック５４ｅと噛合するピニオンギアを正逆回転させることで、座部５４を上下に昇降させることができる。
また、キャリーレール５２ａを略リップ溝形鋼材状に加工しているため、支持ローラー５３ｂ，５３ｂ，・・・の上下方向の動きが規制されるため、利用者が着座したときに昇降椅子ユニット５５が前後に揺れる心配が無い。
【００３０】
このように構成した座面昇降式シャワーキャリー５は、前述したレール部３と連結させることで、座面昇降式キャリー５側とバスタブ１側のレールを昇降椅子ユニット５５がスライドして移動することで、バスタブ１に利用者を移動させることができ、昇降椅子ユニット５５を上下に昇降させることで利用者がバスタブの縁部を跨ぐことなく入浴させることができるものとなっている。
なお、座面昇降式キャリー５を単体でシャワー浴として使用することもできる。
この場合は、必要に応じて昇降椅子ユニットを昇降させて座面の高さを変えることによって、介助者が腰をかがむ動作を減らすことができ、介助者の腰痛予防に繋げることができる。
【００３１】
上記構成のバスタブ１を利用した入浴方法を利用方法別に説明する。
まず最初に、介助不要の健常な利用者が入浴する場合を説明する。
この場合は、バスボード２はバスタブ１の収納部１３に収納したままで良く、縁部１２を跨ぎ入浴部１１に腰掛けて入浴することができる。
この時、カバー４は利用者の頭受とすることもでき、より快適な入浴が可能となっている。
また、バスボード２がバスタブ１の中に収納されることで、従来の据置式のバスボード２をバスタブの縁部に立て掛ける際のバスボード２の落下の危険を無くすことができることや、洗い場にバスボードを置いた片付けに比べて、洗い場の使用範囲が制限されることなく浴室を広く使用することができる。
【００３２】
次に、利用者がバスボード２を使用して入浴する場合を説明する。（例えば、１人で入浴はできるが自力で縁部を跨ぐことが困難な利用者など。）
この場合は、まず、バスボード２を収納部１３から引き出して、スライド部１４の固定溝１４ｂ，１４ｂにバスボード２の凸部２ｄ，２ｄを係止させて固定することで、バスボード２に利用者が腰掛けることを可能にしておく。
この時、バスタブ１の縁部１２の上面とバスボード２の上面２ａが略同一面であるので、利用者は縁部１２に腰掛け、そのままバスボード２の上面２ａへ「いざる」ことが可能となっている。
そして、利用者を縁部１２に腰掛けさせて、入浴部１１へ脚を跨ぎ入れる。そして、「いざり」ながらバスボード２へ利用者を移動させる。
そして、利用者が入浴部１１へ入浴できる状態になったのを確認し、利用者に縁部１２を手で把持させるなどして、安全を確認しながら腰を浮かせた状態にする。この時、利用者は身体を今いる位置よりを前方に移動させる必要は無い。
これは、前述したように、バスボード２をバスタブ１の後方へスライドさせることで容易に収納することができるように構成しているためである。
そして、バスボード２の凸部２ｄ，２ｄとスライド部１４の固定溝１４ｂ，１４ｂの係止を外し、介助者がバスボード２をバスタブ１の収納部１３へ収納させ、バスボード２の凹部２ｇ，２ｇと収納部１３の凸部１３ｂ，１３ｂが係止して固定され、バスボード２が収納部１３へ片付けられたことを確認したら、利用者はそのまま腰を入浴部１１内に降ろして入浴することができる。
つまり、従来のバスボードのように、入浴する際に利用者が前方に身体をずらしてバスボードを避けて入浴する煩わしさを無くすことができる。
さらに、入浴スペースの広さを確保するために従来の着脱式のバスボードを利用する場合には、バスタブ内に利用者を移動させてから入浴する際に、一度バスタブ内で利用者を立たせる必要があるが、本発明は容易に収納可能にしているため、利用者を待たせる時間を極めて少なくすることができ、より安全に使用することができる。
【００３３】
次に、介助者が自力歩行が困難な利用者を座面昇降式キャリー５を利用して、バスタブ１で入浴介助する場合について説明する。
なお、本実施例では、バスタブ１に対して左側から入浴させる場合を説明するが、前述した通り、レール部３の左右対称に構成することができるので、左側から入浴させる場合においては、レール部３の操作に関して説明の逆を行うようにしたので良い。
まず、図１０に示すように、カバー４をバスタブ１の前側から後側に向けて開き、レール部３のスライドレール部３２を上方に回動させながら縁部１２の乗込み側（外側）にスライドしてスライドレール部３２を使用可能な状態にしておく。（図７の状態から図８の状態へスライドレール部３２をスライドさせる。）
そして、利用者を乗せた座面昇降式キャリー５を移動させて、スライドレール部３２とキャリーレール部５２を連結させる。この時、車体フレーム５１の車輪をロックしておく。
そして、必要に応じて座部５４の下面がバスタブ１の縁部１２の上面より高い位置になるように駆動部５３を操作して上昇させる。
そして、駆動部５３及び座部５４を介助者が操作して、キャリーレール部５２からスライドレール部３２へ昇降椅子ユニット５５をバスタブ１の中央部まで移動させる。
そして、キャリーレール部５２とスライドレール部３２の連結を解除及び車輪のロックを解除して、バスタブ１から車体フレーム５１を離すことで、介助者が入浴介助をし易い環境をつくる。
そして、駆動部５３の昇降スイッチを操作して座部５４を下降させて、バスタブ１の入浴部１１で利用者を入浴させる。
そして、入浴が終わると、これまでの逆の手順で昇降椅子ユニット５５をバスタブ１から車体フレーム５１まで戻す。
【００３４】
上述したように、本発明のバスタブ１は、バスボード２利用者の後方側へスライド収納可能にしたこと及びレール部３を必要な時に取り出せるように回転収納式にしたことにより、入浴介助を必要としない健常な利用者、入浴介助を必要とする利用者のいずれの場合でも利用することができるものとなっている。
また、バスボード２を使用する場合には、バスボード２の上面とバスタブ１の縁部１２の上面が略同一面をなすため、バスタブ１からバスボード２への移動の際、利用者がバスタブ１内で立ち上がることなく「いざる」ことでバスボード２へ移動することが可能なため、従来のバスボードに比べより安全に入浴が行えるものとなっている。
さらに、バスボード２は利用者の後方でスライド収納式になっているので、利用者が入浴部１１の前方に身体をずらすことなくバスタブ１の入浴部１１に腰を降ろすことができ、水中歩行という転倒の危険が高い介助動作を１つ減らすことができるため、利用者の肉体的負担も介助者の負担も軽減することができるものとなっている。
また、レール部３は使用しない時にはバスタブ１の縁部１２よりスライドレール部３２の端部が外に出ないようにしているので、バスタブ１の設置位置が限定されることが無く、浮島設置及び左右問わず壁面に寄せて設置など使用する浴室の環境に合わせて設置することができるものとなっている。
【符号の説明】
【００３５】
１      バスタブ
１１    入浴部
１２    縁部
１３    収納部
１４    スライド部
２      バスボード
３      レール部
３１    レール基部
３２    スライドレール部
４      カバー
５      座面昇降式キャリー
５１    車体フレーム
５２    キャリーレール部
５３    駆動部
５４    座部
５５    昇降椅子ユニット
【図１】
0006714182.tif 000002
【図２】
0006714182.tif 000003
【図３】
0006714182.tif 000004
【図４】
0006714182.tif 000005
【図５】
0006714182.tif 000006
【図６】
0006714182.tif 000007
【図７】
0006714182.tif 000008
【図８】
0006714182.tif 000009
【図９】
0006714182.tif 000010
【図１０】
0006714182.tif 000011
【図１１】
0006714182.tif 000012
【図１２】
0006714182.tif 000013
【図１３】
0006714182.tif 000014